(57)【要約】【課題】一部の画素に強い光が入射したことによるノイズ現象を低減する。【解決手段】層間絶縁膜４２，４３における電源線２６（ＶＤＤ）とＦＤ１２及び配線４０との間に介在する部分４２ａ，４３ａを、酸化珪素の比誘電率よりも低い比誘電率を有する材料で構成する。層間絶縁膜４２，４３における他の部分４２ｂ，４３ｂを、酸化珪素で構成する。【選択図】図４
2008172108.tif 000002
【特許請求の範囲】
【請求項１】
入射光に応じた信号電荷を生成し蓄積する光電変換部、前記信号電荷を受け取って前記信号電荷を電圧に変換する電荷電圧変換部、該電荷電圧変換部の電位に応じた信号を出力する増幅部、前記光電変換部から前記電荷電圧変換部に電荷を転送する電荷転送部、及び、前記電荷電圧変換部の電位をリセットするリセット部を有する画素を、複数備えた固体撮像素子であって、
前記増幅部に電源を供給する電源線と、前記電荷電圧変換部に接続された配線と、層間絶縁膜と、を備え、
前記層間絶縁膜における前記電源線と前記電荷電圧変換部及び／又は前記配線との間に介在する領域のうちの少なくとも一部の領域が、酸化珪素の比誘電率よりも低い比誘電率を有する材料で構成されたことを特徴とする固体撮像素子。
【請求項２】
前記層間絶縁膜における前記少なくとも一部の領域の付近の領域を除く領域は、前記材料の比誘電率よりも高い比誘電率を有する材料で構成されたことを特徴とする請求項１記載の固体撮像素子。
【発明の詳細な説明】
【技術分野】
【０００１】
本発明は、固体撮像素子に関するものである。
【背景技術】
【０００２】
近年、ビデオカメラや電子スチルカメラなどが広く一般に普及している。これらのカメラには、ＣＣＤ型の固体撮像素子や増幅型の固体撮像素子が使用されている。固体撮像素子は、光電変換部を有する画素がマトリクス状に複数配置されており、各画素の光電変換部にて信号電荷を生成する。
【０００３】
増幅型固体撮像素子は、画素の光電変換部にて生成・蓄積された信号電荷を画素に設けられた増幅部に導き、増幅部で増幅した信号を画素から出力する。増幅型固体撮像素子では、一般的に、各画素は、入射光に応じた信号電荷を生成し蓄積する光電変換部、前記信号電荷を受け取って前記信号電荷を電圧に変換する電荷電圧変換部、該電荷電圧変換部の電位に応じた信号を出力する増幅部、前記光電変換部から前記電荷電圧変換部に電荷を転送する電荷転送部、及び、前記電荷電圧変換部の電位をリセットするリセット部を、有している。そして、このような増幅型固体撮像素子では、前記増幅部に電源を供給する電源線と、前記電荷電圧変換部に接続された配線と、前記電源線と前記電荷電圧変換部及び前記配線との間などを絶縁する層間絶縁膜と、を備えている。
【０００４】
このような増幅型固体撮像素子には、増幅部に接合型電界効果トランジスタ（ＪＦＥＴ）を用いた固体撮像素子（特許文献１）や、増幅部にＭＯＳトランジスタを用いた固体撮像素子（特許文献２）などが提案されている。増幅部にＪＦＥＴを用いた固体撮像素子では、ＪＦＥＴのゲート領域が前記電荷電圧変換部となっている。増幅部にＭＯＳトランジスタを用いた固体撮像素子では、フローティングディフュージョンが前記電荷電圧変換部となっている。
【０００５】
このような従来の増幅型固体撮像素子では、前記層間絶縁膜は酸化珪素膜で構成されている。
【特許文献１】特開平１１−１７７０７６号公報
【特許文献２】特開平１１−１９６３３１号公報
【発明の開示】
【発明が解決しようとする課題】
【０００６】
しかしながら、前記従来の増幅型固体撮像素子では、ある任意の画素にのみ強い光が入射すると、得られた画像上において、その画素と同じ行の画素（光が入射していない画素）も、あたかもわずかな光が入射したかのようにわずかに光ってしまう現象（本願明細書では、「ノイズ現象」と呼ぶ。）が生ずる場合があった。
【０００７】
本発明は、このような事情に鑑みてなされたもので、前述したノイズ現象を低減することができる固体撮像素子を提供することを目的とする。
【課題を解決するための手段】
【０００８】
前記課題を解決するため、本発明の第１の態様による固体撮像素子は、入射光に応じた信号電荷を生成し蓄積する光電変換部、前記信号電荷を受け取って前記信号電荷を電圧に変換する電荷電圧変換部、該電荷電圧変換部の電位に応じた信号を出力する増幅部、前記光電変換部から前記電荷電圧変換部に電荷を転送する電荷転送部、及び、前記電荷電圧変換部の電位をリセットするリセット部を有する画素を、複数備えた固体撮像素子であって、前記増幅部に電源を供給する電源線と、前記電荷電圧変換部に接続された配線と、層間絶縁膜と、を備え、前記層間絶縁膜における前記電源線と前記電荷電圧変換部及び／又は前記配線との間に介在する領域のうちの少なくとも一部の領域が、酸化珪素の比誘電率よりも低い比誘電率を有する材料で構成されたものである。
【０００９】
酸化珪素の比誘電率は、およそ４．０〜４．５である。前記第１の態様では、前記材料の比誘電率は、酸化珪素の比誘電率よりも低ければよいが、前述したノイズ現象をより低減するためには、３．５以下であることが好ましく、３．０以下であることがより好ましく、２．５以下であることがより一層好ましい。
【００１０】
本発明の第２の態様による固体撮像素子は、前記第１の態様において、前記層間絶縁膜における前記少なくとも一部の領域の付近の領域を除く領域は、前記材料の比誘電率よりも高い比誘電率を有する材料（例えば、酸化珪素）で構成されたものである。
【発明の効果】
【００１１】
本発明によれば、前述したノイズ現象を低減することができる固体撮像素子を提供することができる。
【発明を実施するための最良の形態】
【００１２】
以下、本発明による固体撮像素子について、図面を参照して説明する。
【００１３】
図１は、本発明の一実施の形態による固体撮像素子を示す概略構成図である。本実施の形態による固体撮像素子の基本構成は、前記特許文献２に開示された固体撮像素子の基本構成と同様である。すなわち、本実施の形態による固体撮像素子は、図１に示すように、２次元状に配置された複数の単位画素１（図１では、４つの画素１のみを示す。）と、垂直走査回路２と、水平走査回路３と、信号蓄積部４と、垂直信号線５と、負荷電流源６と、転送ゲート７ａ，７ｂとを備えている。
【００１４】
各画素１は、入射光に応じた信号電荷を生成し蓄積する光電変換部としてのフォトダイオード１１と、前記信号電荷を受け取って前記信号電荷を電圧に変換する電荷電圧変換部としてのフローティングディフュージョン（ＦＤ）１２と、ＦＤ１２の電位に応じた信号を出力する増幅部としての画素アンプ１３と、フォトダイオード１１からＦＤ１２に電荷を転送する電荷転送部としての転送トランジスタ１４と、ＦＤの電位をリセットするリセット部としてのリセットトランジスタ１５と、当該画素１を選択する選択部としての行選択トランジスタ１６とを有している。
【００１５】
転送トランジスタ１４のゲートは、行毎に、垂直走査回路２からの転送トランジスタ１４を制御する制御信号ΦＴＸ（ｎ，ｎ＋１）を転送トランジスタ１４に供給する制御線に、接続されている。リセットトランジスタ１５のゲートは、行毎に、垂直走査回路２からのリセットトランジスタ１５を制御する制御信号ΦＲＥＳ（ｎ，ｎ＋１）をリセットトランジスタ１５に供給する制御線に、接続されている。行選択トランジスタ１６のゲートは、行毎に、垂直走査回路２からの行選択トランジスタ１６を制御する制御信号ΦＳＥＬ（ｎ，ｎ＋１）を行選択トランジスタ１６に供給する制御線に、接続されている。図１において、ＶＤＤは、リセットトランジスタ１５に電源を供給するとともに行選択トランジスタ１６を介して画素アンプ１３に電源を供給する電源線である。
【００１６】
光電変換はフォトダイオード１１で行われ、光量電荷の蓄積期間中は転送トランジスタ１４はオフ状態であり、画素アンプ１３のゲート（したがって、ＦＤ１２）には、このフォトダイオード１１で光電変換された電荷は転送されない。画素アンプ１３のゲートは、蓄積開始前にリセットトランジスタ１５がオンし、適当な電圧に初期化されている。すなわちこれがダークレベルとなる。次に又は同時に行選択トランジスタ１６がオンになると、負荷電流源６と画素アンプ１３で構成されるソース・フォロワー回路が動作状態になり、ここで転送トランジスタ１４をオンさせることで、フォトダイオード１１に蓄積されていた電荷は、ＦＤ１２に転送され、ＦＤ１２により電圧に変換され、その電位が画素アンプ１３のゲートに印加されることになる。
【００１７】
ここで、選択行の出力が垂直信号線５上に発生する。この出力は転送ゲート７ａ，７ｂを介して、信号蓄積部４に蓄積される。信号蓄積部４に一時記憶された出力は、水平走査回路３によって順次出力部Ｖ０へ読み出される。
【００１８】
図２は、本実施の形態による固体撮像素子の動作の一例を示すタイミングチャートである。全画素リセット期間Ｔ１のタイミングで、制御信号ΦＴＸ（ｎ），ΦＴＸ（ｎ＋１）がアクティブになり、全画素のフォトダイオード１１の電荷は、転送トランジスタ１４を介して画素アンプ１３のゲートに転送され、フォトダイオード１１はリセットされる。この状態はフォトダイオード１１のカソード電荷が画素アンプ１３のゲート（したがって、ＦＤ１２）に移って平均化された状態であるが、ＦＤ１２の容量を大きくすることで、フォトダイオード１１のカソードをリセットしたレベルと同様になる。
【００１９】
この時、対象画像の光量を導光するメカシャッター（図示せず）は開いており、期間Ｔ１の終了と同時に、全画素同時に蓄積を開始する。このメカシャッターは期間Ｔ３において開いたままで、この期間Ｔ３がフォトダイオード１１の蓄積期間となる。
【００２０】
期間Ｔ３が終了する時点Ｔ４で前記メカシャッターは閉じ、フォトダイオード１１の光電荷（信号電荷）の蓄積が終了する。この状態では、フォトダイオード１１に電荷が蓄積されている。次に、各行毎に読み出しがスタートする。すなわち、ｎ−１行目を読み出してからｎ行目を読み出す。
【００２１】
期間Ｔ５において制御信号ΦＳＥＬ（ｎ）がアクティブになり、当該行の行選択トランジスタ１６がオンし、ｎ行目の全ての画素１の画素アンプ１３で構成されるソース・フォロワー回路が動作状態になる。ここで、画素アンプ１３のゲートは期間Ｔ２において制御信号ΦＲＥＳ（ｎ）がアクティブになり、リセットトランジスタ１５がオンとなり、画素アンプ１３のゲートは初期化される。すなわち、垂直信号線５にはこのダークレベルの信号が出力される。
【００２２】
次に、期間Ｔ８において制御信号ΦＴＮ（ｎ）がアクティブになり、転送ゲート７ｂがオンし、ダークレベルが信号蓄積部４に保持される。この動作は、ｎ行目の全ての画素１に対して同時並列に実行される。ダークレベルの信号蓄積部４への転送が終了した後の期間Ｔ９において、制御信号ΦＴＸ（ｎ）をアクティブとすることで、転送トランジスタ１４をオンとし、フォトダイオード１１に蓄積されていた信号電荷を、ＦＤ１２に転送する。この信号電荷がＦＤ１２により電圧に変換され、転送されてきた信号電荷に見合う分だけリセットレベルから電位が変動し、信号レベルが確定する。
【００２３】
期間Ｔ９の終了後に、制御信号ΦＴＳがアクティブになり、転送ゲート７ａがオンし、信号レベルが信号蓄積部４に保持される。この動作は、ｎ行目の全ての画素１に対して同時並列に実行される。ここで、信号蓄積部４には、ｎ行目の全ての画素１のダークレベルと信号レベルを保持しており、各画素１でのダークレベルと信号レベルとの差をとることでソース・フォロワーのスレシホールド電圧Ｖｔｈバラツキによる固定パターンノイズ（ＦＰＮ）やリセットトランジスタ１５がリセット時に発生するＫＴＣノイズをキャンセルし、Ｓ／Ｎの高いノイズ成分を除去された信号が得られる。
【００２４】
水平走査回路３によって、信号蓄積部４に蓄積されたダークレベルと信号レベルの差信号を水平走査し、時系列的に、期間Ｔ７のタイミングで出力される。これでｎ行目の出力は終了である。同様に、制御信号ΦＳＥＬ（ｎ＋１），ΦＲＥＳ（ｎ＋１），ΦＴＸ（ｎ＋１），ΦＴＮ，ΦＴＳを図２に示すようにｎ行目と同様に駆動することで、ｎ＋１行目の信号を読み出すことができる。
【００２５】
ここで、画素１の構造について、図３及び図４を参照して説明する。図３は、図１中の単位画素１を模式的に示す概略平面図である。図４は、図３中のＡ−Ａ’線に沿った概略断面図である。本実施の形態では、３層による多層配線が用いられているが、図３及び図４では、一部の配線層等は省略して示している。また、実際には、フォトダイオード１１の上部にはカラーフィルタやマイクロレンズが配置されるが、ここでは省略する。
【００２６】
図３において、符号２１〜２３は、Ｎ型のシリコン基板２４上に形成されたＰ型ウエル２５（図４参照）に形成されたＮ型不純物拡散領域である。また、ＦＤ１２も、Ｐ型ウエル２５に形成されたＮ型不純物拡散領域となっている。拡散領域２１は、３層目の配線層２６からなる電源線ＶＤＤにコンタクト部２６ａで接続された電源拡散部である。電源線ＶＤＤ（配線層２６）は、フォトダイオード１１に対応する領域のみに開口２６ｂを有し、他の領域を全体的に覆うように形成されている。
【００２７】
図３において、符号２７〜３０は、ポリシリコン層で構成された前記各トランジスタのゲート（電極）である。図４に示すように、フォトダイオード１１は、Ｐ型ウエル２５にＮ型層（電荷蓄積層）３１が形成されることで構成されている。このフォトダイオード１１は、空乏化防止層をなす高純度のＰ型層３２を基板表面側に付加した構造を持ち、埋め込みフォトダイオードとして構成されている。配線層２６（ＶＤＤ）は、例えば、アルミニウムで構成される。
【００２８】
フォトダイオード１１は、入射する光を光電変換し、生じた電荷を電荷蓄積層３１に蓄積する。フォトダイオード１１の電荷蓄積層３１に蓄積された電荷は、転送トランジスタ１４がオン状態とされることによってＦＤ１２に転送される。
【００２９】
転送トランジスタ１４は、フォトダイオード１１の電荷蓄積層３１をドレイン、ＦＤ１２をソースとするＭＯＳトランジスタである。転送トランジスタ１４は、そのゲート２７に印加される制御信号ΦＴＸ（ｎ，ｎ＋１）により駆動される。
【００３０】
ＦＤ１２は、アルミニウムなどからなる１層目の配線層で構成された配線４０によって、画素アンプ１３のゲート３０に電気的に接続されている。画素アンプ１３は、拡散領域２２をドレイン、拡散領域２３をソースとするＭＯＳトランジスタである。画素アンプ１３は、そのゲート３０の電圧に応じた電気信号を出力する。したがって、画素アンプ１３は、フォトダイオード１１で生成・蓄積された電荷の量に応じた電気信号を出力する。
【００３１】
行選択トランジスタ１６は、電源拡散部２１をドレイン、拡散領域２２をソースとするＭＯＳトランジスタである。ゲート２９は、行選択トランジスタ１６のゲートである。行選択トランジスタ１６は、オン状態にされることで、画素アンプ１３の出力を垂直信号線５に出力させる。すなわち、画素アンプ１３と行選択トランジスタ１６によって、ソースフォロワによる読み出しが可能となっている。
【００３２】
リセットトランジスタ１５は、電源拡散部２１をドレイン、ＦＤ１２をソースとするＭＯＳトランジスタである。ゲート２８は、リセットトランジスタ１５のゲートである。リセットトランジスタ１５は、オン状態にされることで、ＦＤ１２に蓄積されている電荷をリセットする。
【００３３】
垂直信号線５は、１層目の配線層で構成され、拡散領域２３に電気的に接続されている。図面には示していないが、前述した制御信号ΦＴＸ，ΦＲＥＳ，ΦＳＥＬをそれぞれ供給する各制御線は、アルミニウムなどからなる２層目の配線層によって構成されている。
【００３４】
図４において、３４はＬＯＣＯＳによるフィールド酸化膜、４１はゲート２７〜３０等のポリシリコン層と配線４０や垂直信号線５等の１層目の配線層との間の層間絶縁膜、４２は１層目の配線層と２層目の配線層との間の層間絶縁膜、４３は２層目の配線層と電源線ＶＤＤ（３層目の配線層２６）との間の層間絶縁膜である。層間絶縁膜４１は、その全体が酸化珪素で構成されている。
【００３５】
本実施の形態では、層間絶縁膜４２は、酸化珪素からなる部分４２ｂと、酸化珪素の比誘電率よりも低い比誘電率を有する材料（以下、「低誘電率材料」と呼ぶ。）からなる部分４２ａとから構成されている。同様に、層間絶縁膜４３は、酸化珪素からなる部分４３ｂと、低誘電率材料からなる部分４３ａとから構成されている。酸化珪素（ＳｉＯ２）の比誘電率は、およそ４．０〜４．５である。
【００３６】
前記低誘電率材料として、例えば、ｌｏｗ−κ材料と呼ばれている種々の材料を用いることができる。具体的には、前記低誘電率材料として、ＳｉＯＦあるいはＦＳＧ（fluorinated silicate glass）と呼ばれるフッ素添加のＳｉＯ２（その比誘電率は３．５〜３．８であり、その成膜はＣＶＤ法により行われる。）や、ポリイミド（その比誘電率は２．６１〜３．３８であり、その成膜は塗布により行われる。）や、アモルファスカーボン（その比誘電率は２．１〜２．３であり、その成膜はＣＶＤ法により行われる。）などを挙げることができる。これら及びその他のｌｏｗ−κ材料の例が、「次世代ＵＬＳＩプロセス技術」と題する書籍のｐ．５６１−５６３（発行日は平成１２年２月２９日、発行所は株式会社リアライズ社）に記載されている。前記低誘電率材料の比誘電率は、酸化珪素の比誘電率よりも低ければよいが、前述したノイズ現象をより低減するためには、３．５以下であることが好ましく、３．０以下であることがより好ましく、２．５以下であることがより一層好ましい。
【００３７】
本実施の形態では、層間絶縁膜４２，４３の低誘電率材料からなる部分４２ａ，４３ａは、図３中に破線で囲んだ局所的な平面領域Ｒに相当する部分である。層間絶縁膜４２，４３の酸化珪素からなる部分４２ｂ，４３ｂは、平面領域Ｒ以外の平面領域に相当する部分である。本実施の形態では、平面領域Ｒは、ＦＤ１２の全体及び配線４０の全体と電源線ＶＤＤ（３層目の配線層２６）とがちょうど重なる領域よりもやや広い程度の領域とされている。
【００３８】
もっとも、本発明では、これに限定されるものではなく、層間絶縁膜４２，４３における電源線ＶＤＤとＦＤ１２及び／又は配線４０との間に介在する領域のうちの少なくとも一部の領域を、前記低誘電率材料で構成すればよい。したがって、本発明では、例えば、層間絶縁膜４２，４３の全体を前記低誘電率材料で構成してもよい。しかしながら、低誘電率材料からなる膜は、大面積に形成すると、剥がれ、ボイド、亀裂等の欠陥が生じやすく、これにより、当該固体撮像素子の歩留りが低下してしまう。この点、本実施の形態では、層間絶縁膜４２，４３における局所的な平面領域Ｒの部分４２ａ，４３ａのみが前記低誘電率材料で構成され、残りの部分４２ｂ，４３ｂが酸化珪素で構成されているので、前記欠陥が生ずる確率が低下することにより歩留りが向上し、好ましい。
【００３９】
ここで、本実施の形態において層間絶縁膜４２，４３における平面領域Ｒに相当する部分４２ａ，４３ａが前記低誘電率材料で構成されていることの、技術的意義について、図５に示す比較例と比較して説明する。図５は、本実施の形態による固体撮像素子と比較される比較例に係る固体撮像素子を模式的に示す概略断面図であり、図４に対応している。この比較例が本実施の形態と異なる所は、層間絶縁膜４２，４３の全体が酸化珪素で構成されている点のみである。この比較例は従来技術に相当している。
【００４０】
このような比較例では、ある任意の画素１にのみ強い光が入射すると、得られた画像上において、その画素１と同じ行の画素１（光が入射していない画素）も、あたかもわずかな光が入射したかのようにわずかに光ってしまうノイズ現象が生ずる。本発明者の研究の結果、このノイズ現象の原因の１つが次の通りであることが判明した。すなわち、ＦＤ１２及び配線４０と電源線ＶＤＤ（３層目の配線層２６）との間に寄生容量Ｃが生ずる。強い光が入射した画素１では、フォトダイオード１１から転送トランジスタ１４を介してＦＤ１２に転送される信号電荷の量が大きい。よって、強い光が入射した画素１では、ＦＤ１２及びそれの配線４０の電位が大きく低下し、ＦＤ１２及び配線４０の電位の変動が大きい。その結果、強い光が入射した画素１において、ＦＤ１２及び配線４０と電源線ＶＤＤとの間がその間の寄生容量Ｃを介して結合していることから、ＦＤ１２及び配線４０の電位の変動に従って寄生容量Ｃの大きさに応じて電源線ＶＤＤの電位も変動してしまう。電源線ＶＤＤは全画素に共通であるので、光が入射していない画素１において、ＦＤ１２及び配線４０と電源線ＶＤＤとの間がその間の寄生容量Ｃを介して結合していることから、電源線ＶＤＤの電位の変動に従って寄生容量Ｃの大きさに応じてＦＤ１２の電位が変動してしまう。このように、光が入射していない画素においては、強い光が入射した画素１の影響を受けて、ＦＤ１２及び配線４０と電源線ＶＤＤとの間に寄生容量Ｃによる結合に基づいて、電源線ＶＤＤの電位及びＦＤ１２の電位が両方とも変動してしまう。その結果、強い光が入射した画素１と同じ行の画素１は、同時に読み出されることから、同じ行の実際には光が入射していない画素１から、ＶＤＤの電位の変動及びＦＤ１２の電位の変動に応じた信号が光信号として垂直信号線５に出力されてしまう。これが、前記ノイズ現象の１つの原因である。
【００４１】
そして、ＦＤ１２及び配線４０と電源線ＶＤＤとの間の寄生容量Ｃの大きさが大きいほど、両者の間の結合が大きくなって、一方の電位の変動に従って生ずる他方の電位の変動が大きくなる。一方、前記寄生容量Ｃの大きさが小さいほど、両者の間の結合が小さくなって、一方の電位の変動に従って生ずる他方の電位の変動が小さくなる。
【００４２】
したがって、前記比較例では、層間絶縁膜４２，４３の全体が酸化珪素で構成されていることから、ＦＤ１２及び配線４０と電源線ＶＤＤとの間の寄生容量Ｃが比較的大きいため、強い光が入射した画素１の影響を比較的大きく受けて、光が入射していない画素１における電源線ＶＤＤの電位及びＦＤ１２の電位が比較的大きく変動してしまい、前記ノイズ現象が比較的顕著に現れてしまう。
【００４３】
これに対し、本実施の形態では、層間絶縁膜４２，４３における平面領域Ｒに相当する部分４２ａ，４３ａが前記低誘電率材料で構成されているので、比較例の場合に比べて、ＦＤ１２及び配線４０と電源線ＶＤＤとの間の寄生容量Ｃが小さくなる。よって、本実施の形態によれば、比較例の場合に比べて、強い光が入射した画素１の影響が低減され、光が入射していない画素１における電源線ＶＤＤの電位及びＦＤ１２の電位の変動が抑制され、前記ノイズ現象が抑制される。
【００４４】
以上、本発明の一実施の形態について説明したが、本発明はこの実施の形態に限定されるものではない。
【００４５】
例えば、前記実施の形態において、層間絶縁膜４２，４３のうちのいずれか一方のみを、その全体を酸化珪素で構成してもよい。この場合、前記実施の形態に比べるとノイズ現象低減効果は低下するものの、前記比較例に比べるとノイズ現象を低減することができる。
【００４６】
また、本発明は、特許文献１に開示されているような、増幅部に接合型電界効果トランジスタを用いた固体撮像素子にも、適用することができる。
【図面の簡単な説明】
【００４７】
【図１】本発明の一実施の形態による固体撮像素子を示す概略構成図である。
【図２】図１に示す固体撮像素子の動作の一例を示すタイミングチャートである。
【図３】図１中の単位画素を模式的に示す概略平面図である。
【図４】図３中のＡ−Ａ’線に沿った概略断面図である。
【図５】比較例による固体撮像素子を示す概略断面図である。
【符号の説明】
【００４８】
１  画素
１１  フォトダイオード
１２  フローティングディフュージョン（ＦＤ）
４０  ＦＤに接続された配線
４２，４３  層間絶縁膜
４２ａ，４３ａ  低誘電率材料で構成された部分
４２ｂ，４２ｂ  酸化珪素で構成された部分
２６（ＶＤＤ）  電源線
【図１】
2008172108.tif 000003
【図２】
2008172108.tif 000004
【図３】
2008172108.tif 000005
【図４】
2008172108.tif 000006
【図５】
2008172108.tif 000007